(57)【要約】【課題】繋ぎ目の部分が少なく、組み立てが容易な組立式ブースの提供。【解決手段】第１方向Ｘに延びる２辺の位置に向かい合わせに配置され、それぞれ４側面のうちの１側面を形成する長方形状の側面部と当該長方形状の側面部に連続して当該長方形状の側面部の上端の第１方向Ｘの両角部から天井面の中央部に至る天井面の一部を形成する山形状の天井部とを有する一対の第１シート２Ａ，２Ｂと、第２方向Ｙに延びる２辺の位置に向かい合わせに配置され、それぞれ４側面のうちの１側面を形成する長方形状の側面部と当該長方形状の側面部に連続して当該長方形状の側面部の上端の第２方向Ｙの両角部から天井面の中央部に至る天井面の一部を形成する山形状の天井部とを有する一対の第２シート３Ａ，３Ｂとを含み、それぞれ互いに連結可能な第１ファスナー２５および第２ファスナー３５をそれぞれの長方形状の側面部の端辺および山形状の天井部の稜線に沿って備える。【選択図】図１
2019065677.tif 000002
【特許請求の範囲】
【請求項１】
第１方向に延びる２辺およびこれに直交して第２方向に延びる２辺からなる長方形状の天井面およびこの天井面の４辺に接続される４側面を有する直方体状の空間を形成する組立式ブースであって、
前記第１方向に延びる２辺の位置に向かい合わせに配置される一対の第１シートであり、それぞれ前記４側面のうちの１側面を形成する長方形状の側面部と当該長方形状の側面部に連続して当該長方形状の側面部の上端の前記第１方向の両角部から前記天井面の中央部に至る前記天井面の一部を形成する山形状の天井部とを有する一対の第１シートと、
前記第２方向に延びる２辺の位置に向かい合わせに配置される一対の第２シートであり、それぞれ前記４側面のうちの１側面を形成する長方形状の側面部と当該長方形状の側面部に連続して当該長方形状の側面部の上端の前記第２方向の両角部から前記天井面の中央部に至る前記天井面の一部を形成する山形状の天井部とを有する一対の第２シートとを含み、
前記一対の第１シートおよび前記一対の第２シートは、それぞれ互いに連結可能な第１ファスナーおよび第２ファスナーをそれぞれの長方形状の側面部の端辺および山形状の天井部の稜線に沿って備えたものである
組立式ブース。
【請求項２】
前記一対の第１シートを前記第１方向に間隔を空けて複数並べて前記空間を増設する際に、前記第１方向に並べられる複数の第１シートの間に配置される第３シートであり、前記第１方向の幅を、前記第１方向の間隔を閉塞する幅とし、かつ前記第２方向の長さを前記第２シートの側面部の幅とした長方形状と、この長方形状の前記第２方向の長さを有する２辺にそれぞれ連続して設けられた前記第２シートと同じ山形状とを有する天井部と、この天井部の前記第１方向の幅を有する両端辺に連続してそれぞれ設けられた前記第１シートの側面部の高さと同じ長さを有する長方形状の延長部と、この長方形状の延長部の端辺および天井部の山形状の稜線に沿って前記第１シートの第１ファスナーに連結可能な第３ファスナーとを有する第３シートを含む請求項１記載の組立式ブース。
【請求項３】
さらに、前記一対の第２シートを前記第２方向に間隔を空けて複数並べて前記空間を増設する際に、前記第２方向に並べられる複数の第２シートの間に配置される第４シートであり、前記第２方向の幅を、前記第２方向の間隔を閉塞する幅とし、かつ前記第１方向の長さを前記第１シートの側面部の幅とした長方形状と、この長方形状の前記第１方向の長さを有する２辺にそれぞれ連続して設けられた前記第１シートと同じ山形状とを有する天井部と、この天井部の前記第２方向の幅を有する両端辺に連続してそれぞれ設けられた前記第２シートの側面部の高さと同じ長さを有する長方形状の延長部と、この長方形状の延長部の端辺および天井部の山形状の稜線に沿って前記第２シートの第２ファスナーに連結可能な第４ファスナーとを有する第４シートを含む請求項２記載の組立式ブース。
【発明の詳細な説明】
【技術分野】
【０００１】
本発明は、クリーンルーム等として使用可能な組立式ブースに関する。
【背景技術】
【０００２】
従来の組立式クリーンルームとしては、例えば特許文献１に記載のものが知られている。この組立式クリーンルームは、上面、側面の５面をそれぞれ分割した長方形状のビニールシートをファスナー等にて繋ぎ合わせて立体化する構造である。この組立式クリーンルームでは、組み立てが容易であり、後々、必要に応じた大きさに拡張することが容易であり、汚れ破損などが発生時、交換が容易など、メンテナンス性が良い。
【先行技術文献】
【特許文献】
【０００３】
【特許文献１】特開２００５−９０９３７号公報
【発明の概要】
【発明が解決しようとする課題】
【０００４】
上記特許文献１には、組立式クリーンルームの拡張について詳細に示されていないが、この組立式クリーンルームでは、上面および側面の５面がそれぞれ１面ずつ分割された長方形状のビニールシートを組み合わせるものであり、拡張する際には各面同じ長方形状のビニールシートを１面ずつ新たに追加していくものと思われる。しかしながら、このように長方形状のビニールシートを１面ずつ追加していく構造では、ファスナー等による繋ぎ目の部分が多くなり、組み立てが大変になるうえ、部品点数も多くなる。
【０００５】
そこで、本発明においては、繋ぎ目の部分が少なく、組み立てが容易な組立式ブースを提供することを目的とする。
【課題を解決するための手段】
【０００６】
本発明の組立式ブースは、第１方向に延びる２辺およびこれに直交して第２方向に延びる２辺からなる長方形状の天井面およびこの天井面の４辺に接続される４側面を有する直方体状の空間を形成する組立式ブースであって、第１方向に延びる２辺の位置に向かい合わせに配置される一対の第１シートであり、それぞれ４側面のうちの１側面を形成する長方形状の側面部と当該長方形状の側面部に連続して当該長方形状の側面部の上端の第１方向の両角部から天井面の中央部に至る天井面の一部を形成する山形状の天井部とを有する一対の第１シートと、第２方向に延びる２辺の位置に向かい合わせに配置される一対の第２シートであり、それぞれ４側面のうちの１側面を形成する長方形状の側面部と当該長方形状の側面部に連続して当該長方形状の側面部の上端の第２方向の両角部から天井面の中央部に至る天井面の一部を形成する山形状の天井部とを有する一対の第２シートとを含み、一対の第１シートおよび一対の第２シートが、それぞれ互いに連結可能な第１ファスナーおよび第２ファスナーをそれぞれの長方形状の側面部の端辺および山形状の天井部の稜線に沿って備えたものであることを特徴とする。
【０００７】
本発明の組立式ブースによれば、一対の第１シートおよび一対の第２シートの４枚により長方形状の天井面およびこの天井面の４辺に接続される４側面が構成され、繋ぎ目の部分がこれらの一対の第１シートおよび一対の第２シートをそれぞれ互いに連結する４箇所の第１ファスナーおよび第２ファスナーにより構成され、繋ぎ目の部分が少なく、組み立てが容易である。
【０００８】
ここで、一対の第１シートを第１方向に間隔を空けて複数並べて空間を増設する際には、第１方向に並べられる複数の第１シートの間に配置される第３シートであり、第１方向の幅を、第１方向の間隔を閉塞する幅とし、かつ第２方向の長さを第２シートの側面部の幅とした長方形状と、この長方形状の第２方向の長さを有する２辺にそれぞれ連続して設けられた第２シートと同じ山形状とを有する天井部と、この天井部の第１方向の幅を有する両端辺に連続してそれぞれ設けられた第１シートの側面部の高さと同じ長さを有する長方形状の延長部と、この長方形状の延長部の端辺および天井部の山形状の稜線に沿って第１シートの第１ファスナーに連結可能な第３ファスナーとを有する第３シートを用いることが望ましい。
【０００９】
これにより、一対の第１シートを第１方向に間隔を空けて複数並べて空間を増設する際、その第１方向の間隔に応じた第３シートを一対の第１シートの間に追加するだけでブースを拡張することが可能となる。
【００１０】
さらに、一対の第２シートを第２方向に間隔を空けて複数並べて空間を増設する際には、第２方向に並べられる複数の第２シートの間に配置される第４シートであり、第２方向の幅を、第２方向の間隔を閉塞する幅とし、かつ第１方向の長さを第１シートの側面部の幅とした長方形状と、この長方形状の第１方向の長さを有する２辺にそれぞれ連続して設けられた第１シートと同じ山形状とを有する天井部と、この天井部の第２方向の幅を有する両端辺に連続してそれぞれ設けられた第２シートの側面部の高さと同じ長さを有する長方形状の延長部と、この長方形状の延長部の端辺および天井部の山形状の稜線に沿って第２シートの第２ファスナーに連結可能な第４ファスナーとを有する第４シートを用いることが望ましい。
【００１１】
これにより、一対の第２シートを第２方向に間隔を空けて複数並べて空間を増設する際、その第２方向の間隔に応じた第４シートを一対の第２シートの間に追加するだけでブースを拡張することが可能となる。また、上述の第３シートを併用することで、２方向にブースを拡張することが可能となる。
【発明の効果】
【００１２】
（１）第１方向に延びる２辺の位置に向かい合わせに配置される一対の第１シートであり、それぞれ４側面のうちの１側面を形成する長方形状の側面部と当該長方形状の側面部に連続して当該長方形状の側面部の上端の第１方向の両角部から天井面の中央部に至る天井面の一部を形成する山形状の天井部とを有する一対の第１シートと、第２方向に延びる２辺の位置に向かい合わせに配置される一対の第２シートであり、それぞれ４側面のうちの１側面を形成する長方形状の側面部と当該長方形状の側面部に連続して当該長方形状の側面部の上端の第２方向の両角部から天井面の中央部に至る天井面の一部を形成する山形状の天井部とを有する一対の第２シートとを含み、一対の第１シートおよび一対の第２シートが、それぞれ互いに連結可能な第１ファスナーおよび第２ファスナーをそれぞれの長方形状の側面部の端辺および山形状の天井部の稜線に沿って備えた組立式ブースによれば、繋ぎ目の部分が少なく、組み立てが容易であり、必要に応じた大きさに容易に拡張することが可能な拡張性の高い組立式ブースが得られる。
【００１３】
（２）一対の第１シートを第１方向に間隔を空けて複数並べて空間を増設する際には、第１方向に並べられる複数の第１シートの間に配置される第３シートであり、第１方向の幅を、第１方向の間隔を閉塞する幅とし、かつ第２方向の長さを第２シートの側面部の幅とした長方形状と、この長方形状の第２方向の長さを有する２辺にそれぞれ連続して設けられた第２シートと同じ山形状とを有する天井部と、この天井部の第１方向の幅を有する両端辺に連続してそれぞれ設けられた第１シートの側面部の高さと同じ長さを有する長方形状の延長部と、この長方形状の延長部の端辺および天井部の山形状の稜線に沿って第１シートの第１ファスナーに連結可能な第３ファスナーとを有する第３シートを用いることにより、第１方向の間隔に応じた第３シートを一対の第１シートの間に追加するだけでブースを必要に応じた大きさに容易に拡張することが可能となる。
【００１４】
（３）一対の第２シートを第２方向に間隔を空けて複数並べて空間を増設する際には、第２方向に並べられる複数の第２シートの間に配置される第４シートであり、第２方向の幅を、第２方向の間隔を閉塞する幅とし、かつ第１方向の長さを第１シートの側面部の幅とした長方形状と、この長方形状の第１方向の長さを有する２辺にそれぞれ連続して設けられた第１シートと同じ山形状とを有する天井部と、この天井部の第２方向の幅を有する両端辺に連続してそれぞれ設けられた第２シートの側面部の高さと同じ長さを有する長方形状の延長部と、この長方形状の延長部の端辺および天井部の山形状の稜線に沿って第２シートの第２ファスナーに連結可能な第４ファスナーとを有する第４シートを用いることにより、第２方向の間隔に応じた第４シートを一対の第２シートの間に追加するだけでブースを必要に応じた大きさに拡張することが可能となる。
【図面の簡単な説明】
【００１５】
【図１】本発明の実施の形態における組立式ブースの斜視図である。
【図２】図１の組立式ブースの分解斜視図である。
【図３】図１の組立式ブースの第１シートを示す平面図である。
【図４】図１の組立式ブースの第２シートを示す平面図である。
【図５】本発明の実施の形態における組立式ブースの組立手順を示す斜視図である。
【図６】本発明の実施の形態における組立式ブースの組立手順を示す斜視図である。
【図７】本発明の実施の形態における組立式ブースの組立手順を示す斜視図である。
【図８】一対の第１シートを第１方向に間隔を空けて２つ並べて空間を増設した例を示す斜視図である。
【図９】図８の分解斜視図である。
【図１０】第３シートを示す平面図である。
【図１１】一対の第２シートを第２方向に間隔を空けて２つ並べて空間を増設した例を示す斜視図である。
【図１２】図１１の分解斜視図である。
【図１３】第４シートを示す平面図である。
【図１４】ブースを第１方向および第２方向に拡張した例を示す斜視図である。
【図１５】図１４の分解斜視図である。
【発明を実施するための形態】
【００１６】
図１は本発明の実施の形態における組立式ブースの斜視図、図２は図１の組立式ブースの分解斜視図、図３は図１の組立式ブースの第１シートを示す平面図、図４は図１の組立式ブースの第２シートを示す平面図である。
【００１７】
図１に示すように、本発明の実施の形態における組立式ブース１は、第１方向Ｘに延びる２辺Ｘ１，Ｘ２およびこれに直交して第２方向Ｙに延びる２辺Ｙ１，Ｙ２からなる長方形状の天井面１０およびこの天井面１０の４辺Ｘ１，Ｘ２，Ｙ１，Ｙ２に接続される４側面１１，１２，１３，１４を有する直方体状の空間１５を形成するものである。この組立式ブース１は、図２に示すように一対の第１シート２Ａ，２Ｂおよび一対の第２シート３Ａ，３Ｂから形成される。なお、本実施形態においては、第１方向Ｘおよび第２方向Ｙは水平方向である。
【００１８】
一対の第１シート２Ａ，２Ｂは、第１方向Ｘに延びる２辺Ｘ１，Ｘ２の位置に向かい合わせに配置される。第１シート２Ａ，２Ｂは、それぞれが組立式ブース１の４側面１１，１２，１３，１４のうちの１側面１１，１２を形成する長方形状の側面部２０と当該長方形状の側面部２０に連続して当該長方形状の側面部２０の上端の第１方向Ｘの両角部２２Ａ，２２Ｂから天井面１０の中央部１０Ａに至る天井面１０の一部を形成する山形状の天井部２１とを有する。
【００１９】
第１シート２Ａ，２Ｂの天井部２１の下端（側面部２０の上端）の辺２１Ａには、後述するフレーム枠４（図５〜図７参照。）に取り付けるための取付部２３であり、辺２１Ａに沿う帯状の取付部２３が設けられている。取付部２３には、フレーム枠４に引っ掛けるためのフック（図示せず。）を取り付けるための穴２４が所定間隔で設けられている。
【００２０】
一対の第２シート３Ａ，３Ｂは、第２方向Ｙに延びる２辺Ｙ１，Ｙ２の位置に向かい合わせに配置される。第２シート３Ａ，３Ｂは、それぞれが組立式ブース１の４側面１１，１２，１３，１４のうちの１側面１３，１４を形成する長方形状の側面部３０と当該長方形状の側面部３０に連続して当該長方形状の側面部３０の上端の第２方向Ｙの両角部３２Ａ，３２Ｂから天井面１０の中央部１０Ａに至る天井面１０の一部を形成する山形状の天井部３１とを有する
【００２１】
第２シート３Ａ，３Ｂの天井部３１の下端（側面部３０の上端）の辺３１Ａには、後述するフレーム枠４（図５〜図７参照。）に取り付けるための取付部３３であり、辺３１Ａに沿う帯状の取付部３３が設けられている。取付部３３には、フレーム枠４に引っ掛けるためのフック（図示せず。）を取り付けるための穴３４が所定間隔で設けられている。
【００２２】
また、一対の第１シート２Ａ，２Ｂおよび一対の第２シート３Ａ，３Ｂは、それぞれ互いに連結可能な第１ファスナー２５および第２ファスナー３５をそれぞれの長方形状の側面部２０，３０の端辺２６，３６および山形状の天井部２１，３１の稜線２７，３７に沿って備えている。
【００２３】
図５〜図７は上記組立式ブース１の組立手順を示す斜視図である。図５および図６に示すようにフレーム枠４の中央部にファンフィルターユニット５を設け、図７に示すようにフレーム枠４に、一対の第１シート２Ａ，２Ｂおよび一対の第２シート３Ａ，３Ｂをそれぞれの取付部２３，３３の穴２４，３４を用いてフック（図示せず。）により吊り下げる。そして、第１シート２Ａ，２Ｂの第１ファスナー２５と第２シート３Ａ，３Ｂの第２ファスナー３５とを結合する。
【００２４】
このように本実施形態における組立式ブース１では、一対の第１シート２Ａ，２Ｂおよび一対の第２シート３Ａ，３Ｂの４枚により長方形状の天井面１０およびこの天井面１０の４辺Ｘ１，Ｘ２，Ｙ１，Ｙ２に接続される４側面１１，１２，１３，１４が構成され、繋ぎ目の部分がこれらの一対の第１シート２Ａ，２Ｂおよび一対の第２シート３Ａ，３Ｂをそれぞれ互いに連結する４箇所の第１ファスナー２５および第２ファスナー３５により構成されており、繋ぎ目の部分が少なく、組み立てが容易である。
【００２５】
次に、一対の第１シート２Ａ，２Ｂを第１方向Ｘに間隔を空けて複数並べて空間を増設する場合について説明する。図８は一対の第１シート２Ａ，２Ｂを第１方向Ｘに間隔を空けて２つ並べて空間を増設した例を示す斜視図、図９は図８の分解斜視図、図１０は第３シートを示す平面図である。
【００２６】
この場合、図８および図９に示すように、第１方向Ｘに並べられる第１シート２Ａ，２Ｂの間に、図１０に示す第３シート６を配置する。第３シート６は、第１方向Ｘの幅６Ｘを第１方向Ｘの第１シート２Ａ，２Ｂの間隔を閉塞する幅とし、かつ第２方向Ｙの長さ６Ｙを第２シート３Ａ，３Ｂの側面１３，１４の幅とした長方形状６Ａと、この長方形状６Ａの第２方向Ｙの長さ６Ｙを有する２辺６Ａ−１，６Ａ−２にそれぞれ連続して設けられた第２シート３Ａ，３Ｂと同じ山形状６Ｂとからなる天井部６０を有する。
【００２７】
また、天井部６０の第１方向Ｘの幅６Ｘを有する両端辺６Ｃには、天井部６０に連続してそれぞれ設けられた第１シート２Ａ，２Ｂの側面１１，１２の高さと同じ長さ６Ｚを有する長方形状の延長部６１，６２を有する。また、第３シート６は、長方形状の延長部６１，６２の端辺６３および天井部６０の山形状の稜線６４に沿って第１シート２Ａ，２Ｂの第１ファスナー２５に連結可能な第３ファスナー６５を有する。
【００２８】
上記構成の第３シート６によれば、一対の第１シート２Ａ，２Ｂを第１方向Ｘに間隔を空けて複数並べて空間を増設する際、その第１方向Ｘの間隔に応じた第３シート６を一対の第１シート２Ａ，２Ｂの間に追加し、第１シート２Ａ，２Ｂの第１ファスナー２５に第３ファスナー６５を結合することで、ブースを第１方向Ｘに拡張することが可能である。
【００２９】
次に、一対の第２シート３Ａ，３Ｂを第２方向Ｙに間隔を空けて複数並べて空間を増設する場合について説明する。図１１は一対の第２シート３Ａ，３Ｂを第２方向Ｙに間隔を空けて２つ並べて空間を増設した例を示す斜視図、図１２は図１１の分解斜視図、図１３は第４シートを示す平面図である。
【００３０】
この場合、図１１および図１２に示すように、第２方向Ｙに並べられる第２シート３Ａ，３Ｂの間に、図１３に示す第４シート７を配置する。第４シート７は、第２方向Ｙの幅７Ｙを第２方向Ｙの第２シート３Ａ，３Ｂの間隔を閉塞する幅とし、かつ第１方向Ｘの長さ７Ｘを第１シート２Ａ，２Ｂの側面１１，１２の幅とした長方形状７Ａと、この長方形状７Ａの第１方向Ｘの長さ７Ｘを有する２辺７Ａ−１，７Ａ−２にそれぞれ連続して設けられた第１シート２Ａ，２Ｂと同じ山形状７Ｂとからなる天井部７０を有する。
【００３１】
また、天井部７０の第２方向Ｙの幅７Ｙを有する両端辺７Ｃには、天井部７０に連続してそれぞれ設けられた第２シート３Ａ，３Ｂの側面１３，１４の高さと同じ長さ７Ｚを有する長方形状の延長部７１，７２を有する。また、第４シート７は、長方形状の延長部７１，７２の端辺７３および天井部７０の山形状の稜線７４に沿って第２シート３Ａ，３Ｂの第２ファスナー３５に連結可能な第４ファスナー７５を有する。
【００３２】
上記構成の第４シート７によれば、一対の第２シート３Ａ，３Ｂを第２方向Ｙに間隔を空けて複数並べて空間を増設する際、その第２方向Ｙの間隔に応じた第４シート７を一対の第２シート３Ａ，３Ｂの間に追加し、第２シート３Ａ，３Ｂの第２ファスナー３５に第４ファスナー７５を結合することで、ブースを第２方向Ｙに拡張することが可能である。
【００３３】
さらに、一対の第１シート２Ａ，２Ｂおよび一対の第２シート３Ａ，３Ｂと第３シート６および第４シート７とを組み合わせることで、ブースを第１方向Ｘおよび第２方向Ｙに容易に拡張することが可能である。図１４はブースを第１方向Ｘおよび第２方向Ｙに拡張した例を示す斜視図、図１５は図１４の分解斜視図である。
【００３４】
図１４および図１５に示すように、第１方向Ｘに並べられる第１シート２Ａ，２Ｂの間に第３シート６を配置するとともに、第２方向Ｙに並べられる第２シート３Ａ，３Ｂの間に第４シート７を配置し、第１ファスナー２５、第２ファスナー３５、第３ファスナー６５および第４ファスナー７５を互いに連結することで、ブースを第１方向Ｘおよび第２方向Ｙに容易に拡張することが可能である。
【産業上の利用可能性】
【００３５】
本発明の組立式ブースは、必要に応じた大きさに容易に拡張することが可能なクリーンルーム等として有用である。
【符号の説明】
【００３６】
１  組立式ブース
２Ａ，２Ｂ  第１シート
２０  側面部
２１  天井部
２３  取付部
２４  穴
２５  第１ファスナー
３Ａ，３Ｂ  第２シート
３０  側面部
３１  天井部
３３  取付部
３４  穴
３５  第２ファスナー
４  フレーム枠
５  ファンフィルターユニット
６  第３シート
６０  天井部
６１，６２  延長部
６５  第３ファスナー
７  第４シート
７０  天井部
７１，７２  延長部
７５  第４ファスナー
１０  天井面
１１，１２，１３，１４  側面
【図１】
2019065677.tif 000003
【図２】
2019065677.tif 000004
【図３】
2019065677.tif 000005
【図４】
2019065677.tif 000006
【図５】
2019065677.tif 000007
【図６】
2019065677.tif 000008
【図７】
2019065677.tif 000009
【図８】
2019065677.tif 000010
【図９】
2019065677.tif 000011
【図１０】
2019065677.tif 000012
【図１１】
2019065677.tif 000013
【図１２】
2019065677.tif 000014
【図１３】
2019065677.tif 000015
【図１４】
2019065677.tif 000016
【図１５】
2019065677.tif 000017